(57)【要約】【課題】汚染土壌の浄化効率を向上させる。【解決手段】帯水層１２が温水Ｈとなると、井戸１２０の第一井戸鋼管２４０で帯水層１２から揚水した汚染物質を含む温水Ｈを浄化装置１１２で浄化する。そして、浄化装置１１２において温水Ｈで浄化することで、空気を送り込んで揮発性汚染物質を揮発させて水質改善する場合、温度が高い方が揮発しやすいため浄化効率が向上する。或いは、浄化剤を添加し反応させて水質改善する場合も、温度が高い方が、反応速度高くなるため浄化効率が向上する。つまり、温水Ｈで浄化することで浄化効率が向上し浄化が促進する。【選択図】図１
2014205087.tif 000002
【特許請求の範囲】
【請求項１】
難透水層の上側の第一帯水層から汚染物質を含む地下水を揚水して浄化装置で浄化すると共に、前記難透水層の下側の第二帯水層から地下水を揚水して前記第一帯水層に注水する浄化井戸装置と、
前記第二帯水層から揚水された前記地下水と熱媒体との間で熱交換を行い前記地下水を温水にすると共に前記熱媒体の温度を低下させる熱交換器と、
前記熱交換器で熱交換されて温度が低下した前記熱媒体を利用して冷却すると共に、利用後に温度が上昇した前記熱媒体を熱交換器に送る利用手段と、
を備える汚染土壌の浄化設備。
【請求項２】
前記浄化井戸装置は、前記第一帯水層から揚水された汚染物質を含む前記地下水と前記第二帯水層から揚水された汚染物質を含む前記地下水との両方を前記浄化装置で浄化するように構成されている、
請求項１に記載の汚染土壌の浄化設備。
【請求項３】
前記浄化井戸装置は、第二帯水層から揚水した前記地下水を前記第一帯水層に注水しないで、前記第一帯水層から揚水した汚染物質を含む地下水を前記浄化装置で浄化して前記第一帯水層に注水することが可能に構成され、
前記熱交換器は、前記第二帯水層から揚水された前記地下水と熱媒体との間で熱交換を行い前記地下水を冷水にすると共に前記熱媒体の温度を上昇させることが可能に構成され、
前記利用手段は、前記熱交換器で熱交換されて温度が上昇した前記熱媒体を利用して加熱すると共に、利用後に温度が低下した前記熱媒体を熱交換器に送ることが可能に構成されている、
請求項１又は請求項２に記載の汚染土壌の浄化設備。
【請求項４】
前記浄化井戸装置は、前記第二帯水層から揚水した前記地下水を前記熱交換器に送らないで第一帯水層に注水すると共に、前記第一帯水層から揚水した地下水を前記熱交換器に送ることが可能に構成され、
前記熱交換器は、前記第一帯水層から揚水された前記地下水と前記熱媒体との間で熱交換を行い前記地下水を冷水にすると共に前記熱媒体の温度を上昇させることが可能に構成され、
前記利用手段は、前記熱交換器で熱交換されて温度が上昇した前記熱媒体を利用して加熱すると共に、利用後に温度が低下した前記熱媒体を熱交換器に送ることが可能に構成されている、
請求項１又は請求項２に記載の汚染土壌の浄化設備。
【請求項５】
難透水層の上側の第一帯水層から汚染物質を含む地下水を揚水する揚水工程と、
前記第一帯水層から揚水した前記地下水を浄化装置で浄化する第一浄化工程と、
前記難透水層の下側の第二帯水層から地下水を揚水し、熱交換器によって熱媒体との間で熱交換を行い前記熱媒体の温度を低下させると共に地下水を温水にする熱交換工程と、
前記第二帯水層から揚水され前記熱交換器で熱交換されて温水となった前記地下水を前記第一帯水層に注水する注水工程と、
前記熱交換器で熱交換されて温度が低下した前記熱媒体を利用して冷却する冷却工程と、
を備える汚染土壌の浄化方法。
【請求項６】
前記注水工程の前に、前記第二帯水層から揚水された前記地下水を前記浄化装置で浄化する第二浄化工程を有する、
請求項５に記載の汚染土壌の浄化方法。
【発明の詳細な説明】
【技術分野】
【０００１】
本発明は、汚染土壌の浄化設備、及び汚染土壌の浄化方法に関する。
【背景技術】
【０００２】
特許文献１には、平坦地に建てる建物の冷暖房設備の製造法に関する技術が開示されている。この先行技術では、人工池用の穴の周縁に鉛直柱状熱交換筒を多数本埋込み、蒸発器・圧縮器・凝縮器・膨張弁よりなる閉回路を循環する冷媒を有するヒートポンプを設置し、鉛直柱状熱交換筒と蒸発器内を循環する一次不凍液循環路と凝縮器と熱交換室内機内を循環する二次不凍液循環路とを設けている。
【０００３】
特許文献２には、土壌汚染地域の地熱を利用した設備に関する技術が開示されている。この先行技術では、採熱管と第一循環路を有する一次側熱交換器と、放熱管と第二循環路を有する二次側熱交換器と、の間に、蒸発器、圧縮器、凝縮器および膨張弁を有するヒートポンプを設け、採熱管を土壌汚染地域に水平または垂直に埋設して、その内部を循環させる第一熱媒によって地中熱を採取し、ヒートポンプで昇温した後、その熱を内部に循環させる第二熱媒によって放熱管から放熱している。
【０００４】
特許文献３には、汚染土壌およびまたは地下水の原位置浄化工法に関する技術が開示されている。この先行技術では、土壌中およびまたは地下水中の温度以上の融点を持つ浄化剤を加熱して液状化し、揮発性有機塩素化合物または硝酸性窒素による汚染土壌中およびまたは地下水中に注入し、汚染土壌中およびまたは地下水中に浸透拡散し、温度低下に伴い固形化している。
【０００５】
また、その他、関連する技術が特許文献４〜特許文献８に記載されている。
【０００６】
ここで、地下水の温度は年間を通じて約１８℃前後である。よって、汚染土壌の浄化において、汚染物質の地下水への溶解度や汚染物質を分解する微生物の活性度等を向上させることが困難であり、浄化効率の向上に限界があった。
【先行技術文献】
【特許文献】
【０００７】
【特許文献１】特許第３９９９５９１号
【特許文献２】特開２００３−３４３９２９号公報
【特許文献３】特開２００４−２１６２２０号公報
【特許文献４】特開平９−０９８７７０号公報
【特許文献５】特開２０１０−０００４５４号公報
【特許文献６】特許第４１７６３８３号
【特許文献７】特許第４４２８１２５号
【特許文献８】特許第４４２８６３８号
【発明の概要】
【発明が解決しようとする課題】
【０００８】
本発明は、汚染土壌の浄化効率を向上させることが課題である。
【課題を解決するための手段】
【０００９】
請求項１の発明は、難透水層の上側の第一帯水層から汚染物質を含む地下水を揚水して浄化装置で浄化すると共に、前記難透水層の下側の第二帯水層から地下水を揚水して前記第一帯水層に注水する浄化井戸装置と、前記第二帯水層から揚水された前記地下水と熱媒体との間で熱交換を行い前記地下水を温水にすると共に前記熱媒体の温度を低下させる熱交換器と、前記熱交換器で熱交換されて温度が低下した前記熱媒体を利用して冷却すると共に、利用後に温度が上昇した前記熱媒体を熱交換器に送る利用手段と、を備える。
【００１０】
請求項１に記載の発明では、第一帯水層から揚水した汚染物質を含む地下水を浄化装置で浄化する。また、第二帯水層から揚水した地下水（常温水）を熱交換器で熱媒体と熱交換し温水にして第一帯水層に注水する。温水を注水することで第一帯水層の地下水が温水となる。
【００１１】
そして、第一帯水層の地下水が温水となることで、汚染物質の地下水への溶解度や汚染物質を分解する微生物の活性度が向上する。また、温水となった地下水を揚水して浄化することで、浄化効率が向上する。
【００１２】
また、第二帯水層から揚水した地下水と熱交換された熱媒体は温度が低下し、この温度が低下した熱媒体を利用手段で冷却に利用すると共に、利用後に温度が上昇した熱媒体が熱交換器に送られる。そして、前述したように第二帯水層の地下水と熱交換して第二帯水層の地下水を温水にして第一帯水層に注水する。
【００１３】
つまり、第二帯水層から揚水した地下水（常温水）を熱交換器で熱媒体と熱交換して熱媒体の温度を低下させて利用手段で冷却に利用すると共に、熱交換器で温水になった地下水を第一帯水層に注水して浄化効率を向上させている。
【００１４】
また、利用手段から出る排熱を利用することで、汚染土壌の浄化と利用手段とを別々の装置で行う場合と比較し、汚染土壌の浄化と利用手段とを総合した全体のエネルギー効率が高められる。
【００１５】
請求項２の発明は、前記浄化井戸装置は、前記第一帯水層から揚水された汚染物質を含む前記地下水と前記第二帯水層から揚水された汚染物質を含む前記地下水との両方を前記浄化装置で浄化するように構成されている。
【００１６】
請求項２に記載の発明では、第二帯水層にも汚染物質が含まれている場合であっても対応することができる。
【００１７】
請求項３の発明は、前記浄化井戸装置は、第二帯水層から揚水した前記地下水を前記第一帯水層に注水しないで、前記第一帯水層から揚水した汚染物質を含む地下水を前記浄化装置で浄化して前記第一帯水層に注水することが可能に構成され、前記熱交換器は、前記第二帯水層から揚水された前記地下水と熱媒体との間で熱交換を行い前記地下水を冷水にすると共に前記熱媒体の温度を上昇させることが可能に構成され、前記利用手段は、前記熱交換器で熱交換されて温度が上昇した前記熱媒体を利用して加熱すると共に、利用後に温度が低下した前記熱媒体を熱交換器に送ることが可能に構成されている。
【００１８】
請求項３に記載の発明では、浄化井戸装置は、第二帯水層から揚水した地下水を第一帯水層に注水しないで、第一帯水層から揚水した汚染物質を含む地下水を浄化装置で浄化して第一帯水層に注水する。熱交換器では、第二帯水層から揚水された地下水と熱媒体との間で熱交換を行い地下水を冷水にすると共に熱媒体の温度を上昇させる。
【００１９】
そして、利用手段は、熱交換器で熱交換されて温度が上昇した熱媒体を利用して加熱する。よって、利用手段で加熱（加温）を行うこともできる。なお、第二帯水層から揚水して熱交換器で冷水となった地下水を別途冷却に用いてもよい。
【００２０】
請求項４の発明は、前記浄化井戸装置は、前記第二帯水層から揚水した前記地下水を前記熱交換器に送らないで第一帯水層に注水すると共に、前記第一帯水層から揚水した地下水を前記熱交換器に送ることが可能に構成され、前記熱交換器は、前記第一帯水層から揚水された前記地下水と前記熱媒体との間で熱交換を行い前記地下水を冷水にすると共に前記熱媒体の温度を上昇させることが可能に構成され、前記利用手段は、前記熱交換器で熱交換されて温度が上昇した前記熱媒体を利用して加熱すると共に、利用後に温度が低下した前記熱媒体を熱交換器に送ることが可能に構成されている。
【００２１】
請求項４に記載の発明では、浄化井戸装置は、第二帯水層から揚水した地下水を熱交換器に送らないで第一帯水層に注水する。また、第一帯水層から揚水した汚染物質を含む地下水を浄化装置で浄化すると共に、熱交換器で熱媒体との間で熱交換を行い地下水を冷水にして熱媒体の温度を上昇させる。
【００２２】
そして、利用手段は、熱交換器で熱交換されて温度が上昇した熱媒体を利用して加熱する。なお、第一帯水層から揚水して熱交換器で冷水となった地下水を別途冷却に用いてもよい。
【００２３】
請求項５の発明は、難透水層の上側の第一帯水層から汚染物質を含む地下水を揚水する揚水工程と、前記第一帯水層から揚水した前記地下水を浄化装置で浄化する第一浄化工程と、前記難透水層の下側の第二帯水層から地下水を揚水し、熱交換器によって熱媒体との間で熱交換を行い前記熱媒体の温度を低下させると共に地下水を温水にする熱交換工程と、前記第二帯水層から揚水され前記熱交換器で熱交換されて温水となった前記地下水を前記第一帯水層に注水する注水工程と、前記熱交換器で熱交換されて温度が低下した前記熱媒体を利用して冷却する冷却工程と、を備える。
【００２４】
請求項５に記載の発明では、第一帯水層から揚水した汚染物質を含む地下水を浄化装置で浄化する。また、第二帯水層から揚水した地下水（常温水）を熱交換器で熱媒体と熱交換し温水にして第一帯水層に注水する。温水を注水することで第一帯水層の地下水が温水となる。
【００２５】
そして、第一帯水層の地下水が温水となることで、汚染物質の地下水への溶解度や汚染物質を分解する微生物の活性度が向上する。また、温水となった地下水を揚水して浄化することで、浄化効率が向上する。
【００２６】
また、第二帯水層から揚水した地下水と熱交換された熱媒体は温度が低下し、この温度が低下した熱媒体を利用手段で冷却に利用すると共に、利用後に温度が上昇した熱媒体が熱交換器に送られる。そして、前述したように第二帯水層の地下水と熱交換して第二帯水層の地下水を温水にして第一帯水層に注水する。
【００２７】
つまり、第二帯水層から揚水した地下水（常温水）を熱交換器で熱媒体と熱交換して熱媒体の温度を低下させて利用手段で冷却に利用すると共に、熱交換器で温水になった地下水を第一帯水層に注水して浄化効率を向上させている。
【００２８】
また、汚染土壌の浄化と利用手段とを別々の装置で行う場合と比較し、汚染土壌の浄化と利用手段とを総合した全体のエネルギー効率が高められている。
【００２９】
請求項６の発明は、前記注水工程の前に、前記第二帯水層から揚水された前記地下水を前記浄化装置で浄化する第二浄化工程を有する。
【００３０】
請求項６に記載の発明では、二帯水層にも汚染物質が含まれている場合であっても対応することができる。
【発明の効果】
【００３１】
本発明によれば、汚染土壌の浄化効率を向上させることができる。
【図面の簡単な説明】
【００３２】
【図１】本発明の第一実施形態に係る汚染土壌の浄化設備の構成を模式的に示すと共に汚染土壌の浄化を模式的に示す構成図である。
【図２】浄化井戸装置の井戸の要部の構成を模式的に示す構成図である。
【図３】汚染土壌の浄化を開始後に常温水が温水に置き換わっていく様子を（Ａ）から（Ｂ）へと順番に示す工程図である。
【図４】本発明の第一実施形態の第一変形例の浄化設備の構成を模式的に示すと共に汚染土壌の浄化を模式的に示す構成図である。
【図５】本発明の第一実施形態の第二変形例の浄化設備の構成を模式的に示すと共に汚染土壌の浄化を模式的に示す構成図である。
【図６】本発明の第二実施形態に係る汚染土壌の浄化設備の構成を模式的に示すと共に汚染土壌の浄化を模式的に示す構成図である。
【図７】本発明の第一実施形態の第一変形例の浄化設備の構成を模式的に示すと共に汚染土壌の浄化を模式的に示す構成図である。
【図８】本発明の第一実施形態の第二変形例の浄化設備の構成を模式的に示すと共に汚染土壌の浄化を模式的に示す構成図である。
【発明を実施するための形態】
【００３３】
＜第一実施形態＞
本発明の第一実施形態に係る汚染土壌の浄化設備について説明する。
［土壌］
【００３４】
図１に示すように、地盤１０における地下水位Ｓの下側が帯水層１２となっている。帯水層１２には、汚染物質が含まれる汚染土壌２０が存在している。なお、汚染物質は、トリクロロエチレンやベンゼンに代表される有機化合物、六価クロムやヒ素等の金属化合物、シアン等の無機化合物、ガソリンや軽油に代表される鉱油類等である。
【００３５】
帯水層１２の下は、帯水層１２よりも透水性の低い難透水層１４となっている。難透水層１４の下側は帯水層１６となっている。この帯水層１６には汚染物質は殆ど存在しない、或いは浄化を必要としない低濃度でしか存在しない。また、地盤１０の上には、図示していないオフィスビル等の構造物が建てられている。
【００３６】
［浄化設備］
浄化設備１００は、遮水壁５０と浄化井戸装置１１０と熱交換器７０と空調装置６０と制御装置８０とを含んで構成されている。
【００３７】
遮水壁５０は、汚染土壌２０の周囲を囲むように形成されている。また、下端部５０Ａが難透水層１４に根入れされている。よって、汚染土壌２０は、遮水壁５０と難透水層１４とで囲まれ閉鎖されている。
【００３８】
浄化井戸装置１１０は、浄化装置１１２と二つの井戸１２０、１２２とを有している。二つの井戸１２０、１２２は、遮水壁５０で囲まれた内側に汚染土壌２０が間に挟まれるように間隔をあけて配置されている。また、二つの井戸１２０、１２２は、難透水層１４を貫通し、下側の帯水層１６に到達している。
【００３９】
これら二つの井戸１２０、１２２は、上側の帯水層１２と下側の帯水層１６とに対して、それぞれ個別に揚水及び注水することが可能とされていると共に、それぞれ個別に注水及び揚水の流量を制御することが可能な構成となっている。なお、二つの井戸１２０、１２２の具体的な構成の一例は後述する。
【００４０】
浄化井戸装置１１０では、一方の井戸１２０によって上側の帯水層１２から揚水した汚染物質を含む地下水が地下水ライン１５０を流れると共に、この地下水ライン１５０を流れる汚染物質を含む地下水が浄化装置１１２で浄化される。
【００４１】
また、一方の井戸１２０によって下側の帯水層１６から揚水した地下水が地下水ライン１３４を流れ、他方の井戸１２２によって下側の帯水層１６から揚水した地下水が地下水ライン１３２を流れる。そして、これら地下水ライン１３２と地下水ライン１３４とが合流して地下水ライン１３６となり、この地下水ライン１３６を流れる地下水が熱交換器７０で熱媒体と熱交換される。熱交換器７０で熱交換された地下水は地下水ライン１３８を流れ他方の井戸１２２から帯水層１２に揚水される。なお、これらの地下水ライン１３２、１３４、１３６、１３８を地下水ライン１３２〜１３８と記載することがある。
【００４２】
浄化装置１１２における浄化方法は、種々の周知技術を適用することができる。例えば、空気を送り込んで揮発性汚染物質を揮発させて水質改善する方法、浄化剤を添加し反応させて水質改善する方法、汚染物質を吸着することで地下水と汚染物質との分離を図る方法などを適用することができる。
【００４３】
また、汚染土壌２０を浄化するために揚水した地下水に洗浄剤を添加して井戸１２２から注水してもよい。或いは、生物浄化を行う場合は、栄養塩や酸素を混入させて注水したり、新たに微生物を混入させて注水したりしてもよい。
【００４４】
熱交換器７０は、地下水ライン１３６を流れる地下水と熱媒体ライン７２を流れる熱媒体との間で熱交換を行う。なお、本実施形態では熱媒体は水が用いられている。しかし、熱交換が可能な媒体であればよく、例えば、オイルや気体等の流体であってもよい。また、熱媒体は、図示してないポンプ等によって熱媒体ライン７２を循環するようになっている。
【００４５】
空調装置６０は、地盤１０に建てられている図示していないオフィスビル設等の構造物内の空調を行う。空調装置６０は、熱媒体ライン７２を循環する熱交換された熱媒体の熱エネルギーを利用することが可能なように構成されている。なお、空調装置６０は、熱媒体ライン７２を循環する熱媒体の熱エネルギー以外のエネルギーも同時に使用して構造物内の空調を行うことが可能に構成されている。なお、本実施形態では、空調装置６０は、年間を通じて構造物内のデータセンターの冷房に用いている。
【００４６】
ここで、図１における各矢印は、帯水層１２及び帯水層１６での地下水の流れ、地下水ライン１３２〜１３８及び地下水ライン１５０での地下水の流れ、熱媒体ライン７２での熱媒体の流れ、空調装置６０での空気の流れ、をそれぞれ示している。
【００４７】
制御装置８０は、地下水ライン１３２〜１３８及び地下水ライン１５０の図示していないポンプやバルブ等の動作を制御することで、井戸１２０及び井戸１２２における注水量及び揚水する揚水量を制御する。更に、制御装置８０は、熱媒体ライン７２の図示していないポンプなどを制御し、熱媒体が熱媒体ライン７２を循環する方向及び流速（単位時間当たりの流量）を制御する。
【００４８】
帯水層１２及び帯水層１６には、それぞれ地下水の状態を測定する測定器８２が埋設されている。測定器８２は、帯水層１２、１６の地下水の水圧、地下水中の汚染物質や浄化剤等の濃度、溶存酸素等の水質、地下水の温度等を測定するようになっている。また、測定結果は制御装置８０に送られる。なお、図１では、測定器８２は各層に一箇所のみに設けられているが（図示されているが）、複数箇所に設けられていてもよい。
【００４９】
（井戸１２０及び井戸１２２の構成例）
上述したように、井戸１２０、１２２は、上側の帯水層１２と下側の帯水層１６とに対して、それぞれ個別に注水及び揚水の流量を制御することが可能な構成となっている。よって、ここで、井戸１２０、１２２の構成例について説明する。
【００５０】
図２に示すように、井戸１２２には、第一井戸鋼管２３０と第二井戸鋼管２３２とが挿入されている。また、井戸１２２内の難透水層１４の深度に止水材層２３４が設けられている。同様に、井戸１２０には、第一井戸鋼管２４０と第二井戸鋼管２４２とが挿入されている。また、井戸１２２内の難透水層１４の深度に止水材層２４４が設けられている
【００５１】
第一井戸鋼管２３０、２４０は、先端部２３０Ａ、２４０Ａが止水材層２３４、２４４の上方に位置するように配置されている。また、第一井戸鋼管２３０、２４０の先端部２３０Ａ、２４０Ａは、地下水を注水及び揚水が可能なように有孔管となっている。
【００５２】
第二井戸鋼管２３２、２４２は、止水材層２３４、２４４を貫通し、先端部２３２Ａ、２４２Ａが止水材層２３４、２４４０の下方に位置するように配置されている。また、第二井戸鋼管２３２、２４２の先端部２３２Ａ、２４２Ａは、地下水を揚水が可能なように有孔管となっている。
【００５３】
そして、図１に示すように、井戸１２０の第一井戸鋼管２４０は地下水ライン１５０に繋がり、井戸１２０第二井戸鋼管２４２は地下水ライン１３４に繋がっている。また、井戸１２２の第一井戸鋼管２３０は地下水ライン１３８に繋がり、井戸１２２の第二井戸鋼管２３２は地下水ライン１３２に繋がっている。
【００５４】
なお、井戸１２０、１２２は、上側の帯水層１２と下側の帯水層１６とが、それぞれ個別に注水及び揚水し且つ流量を制御することが可能な構成は上記構成に限定されない。どのような構成であってもよい。更に、上側の帯水層１２の井戸と下側の帯水層１６の井戸との二本の井戸を有する構成であってもよい。
【００５５】
＜作用及び効果＞
つぎに、汚染土壌の浄化方法について説明しながら、本実施形態の作用効果を説明する。
【００５６】
初期状態の図３（Ａ）は、遮水壁５０で囲まれた帯水層１２の汚染物質を含む地下水を浄化する前の状態を示している。なお、このときの地下水の温度は常温（１２℃〜２０℃）の常温水Ｇである。なお、後述するように符号Ｈは常温水Ｇよりも高温の温水を意味する。温水Ｈの水温は、常温水Ｇよりも高温であれば特に限定されないが、本実施形態では２５℃〜３５℃となっている。また、常温水Ｇ（地下水）の温度は、地質的及び地理的な影響を受ける。例えば、地緯度が高いと低温となり、緯度が低いと高温となる、また、山麓部に近いと低温となり海岸平野に近いと高温になる。
【００５７】
図１、図２、図３（Ａ）〜図３（Ｅ）に示すように、井戸１２０の第一井戸鋼管２４０で上側の帯水層１２から揚水した汚染物質を含む地下水（常温水Ｇ（１２℃〜２０℃））を、浄化装置１１２で浄化する。浄化された地下水は放流される。
【００５８】
また、井戸１２０の第二井戸鋼管２３２と井戸１２２の第二井戸鋼管２４２で下側の帯水層１６から揚水した地下水（常温水Ｇ）を熱交換器７０で熱媒体と熱交換され温水Ｈとなり、井戸１２２の第一井戸鋼管２３０から上側の帯水層１２に注水される。
【００５９】
熱交換器７０で地下水（常温水Ｇ）と熱交換された熱媒体は温度が低下し、この温度が低下した熱媒体を空調装置６０で冷房に利用すると共に、冷房に利用され温度が上昇した熱媒体が熱交換器７０に送られる。そして、温度が上昇した熱媒体が前述したように地下水と熱交換されることで地下水が温水Ｈとなり帯水層１２に注水される。
【００６０】
このように、井戸１２０の第一井戸鋼管２４０で帯水層１２から揚水した汚染物質を含む地下水（常温水Ｇ（１２℃〜２０℃））を浄化装置１１２で浄化して放流すると共に、井戸１２０、１２２の第二井戸鋼管２３２、２４２から常温水Ｇを揚水し井戸１２２から温水Ｈを注水することで、図３（Ａ）〜図３（Ｅ）に示すように、徐々に帯水層１２の地下水が常温水Ｇから温水Ｈに置き換わっていく。そして、最終的に図１及び図３（Ｅ）に示すように帯水層１２の地下水が常温水Ｇから温水Ｈに置き換わる。
【００６１】
このように、帯水層１２が温水Ｈとなることで、洗浄剤を添加して汚染物質を地下水に溶出させる場合、温度が高い温水Ｈの方が効果的に汚染物質が溶出し浄化が促進する。また、生物浄化を行う場合、浄化を行う微生物の働きが活発になり、微生物の増殖速度が高まるため、微生物が汚染物質を分解する酵素を出しやすくなり、この結果、汚染物質が効果的に浄化され浄化が促進する。このように温水Ｈとなることで、常温水Ｇの場合と比較し、汚染物質の浄化効率が向上し浄化が促進する。
【００６２】
更に、上側の帯水層１２が温水Ｈとなることで、井戸１２０の第一井戸鋼管２４０で帯水層１２から揚水した汚染物質を含む温水Ｈを浄化装置１１２で浄化することになる。そして、浄化装置１１２において温水Ｈで浄化することで、空気を送り込んで揮発性汚染物質を揮発させて水質改善する場合、温度が高い方が揮発しやすいため浄化効率が向上する。或いは、浄化剤を添加し反応させて水質改善する場合も、温度が高い方が、反応速度は高くなるため浄化効率が向上する。つまり、温水Ｈで浄化することで浄化効率が向上し、浄化が促進する。
【００６３】
なお、浄化装置１１２で浄化して放流される温水Ｈの熱エネルギーを利用してもよい。例えば、冬季の暖房や温水プールなどに利用してもよい。また、図１に破線で示す接続ライン１５２で地下水ライン１３８に接続し、温水Ｈの一部又は全部を井戸１２２の第二井戸鋼管２３２から帯水層１２に注水するようにしてもよい。
【００６４】
ここで、制御装置８０は、汚染土壌２０の汚染物質を含む地下水の状態を測定する測定器８２に測定結果（汚染物質の除去の進捗状況）と汚染物質の除去計画とを比較し、地下水ライン１３２〜１３８及び地下水ライン１５０の図示していないポンプやバルブ等の動作を制御して、井戸１２０及び井戸１２２での注水量と揚水量とを制御している。例えば、汚染物質の濃度が計画よりも高い場合は（浄化の進捗が予定より遅い場合は）、注水量や揚水量を増やして地下水の移動速度をあげるようにする。また、浄化剤、栄養塩、酸素、微生物の量を増加させる。
【００６５】
更に、制御装置８０は、揚水された地下水（常温水Ｇ）、すなわち地下水ライン１３６の流量に応じて、熱交換器７０で熱交換する熱媒体の流量、つまり熱媒体ライン７２を流れる流速を制御する。つまり、地下水ライン１３６の流量が多い場合は、熱媒体ライン７２を流れる流速を速くし、地下水ライン１３６の流量が少ない場合は、熱媒体ライン７２を流れる流速を遅くする。これにより空調装置６０での空調効率が向上する。
【００６６】
このように、空調装置６０の冷房運転で出る排熱（温熱）を熱媒体及び熱交換器７０を介して地下水を温水Ｈにして帯水層１２に注水することで、常温水Ｇで浄化する場合と比較し、汚染土壌２０の浄化効率が向上する。
【００６７】
また、このように空調装置６０から出る排熱（温熱）を温水Ｈにして帯水層１２に注水して浄化することで、汚染土壌２０の浄化と空調装置６０の空調とを総合した全体のエネルギー効率が高められている。
【００６８】
＜変形例＞
つぎに、第一実施形態の変形例について説明する。
上記実施形態では、常に（一年を通じて）空調装置６０で冷房を行った。しかし、一時的或いは冬季等の所定の期間に空調装置６０で暖房を行う場合について説明する。また、図４（第一変形例）及び図５（第二変形例）に示す地下水ラインの構成は、図１の地下水ラインを繋ぎ換えたりバルブで変更したり、或いは、ポンプの動作を変更したりすることで実現することができる。なお、後述するように符号Ｃは常温水Ｇよりも低温の冷水を意味する。また、冷水Ｃの水温は、常温水Ｇよりも低温であれば特に限定されないが、本実施形態で０°〜１０℃となっている。
【００６９】
（第一変形例）
図４に示す第一変形例の浄化設備１０１では、浄化井戸装置１１１は、下側の帯水層１６から揚水した地下水（常温水Ｇ）を上側の帯水層１２に注水しないで、上側の帯水層１２から揚水した汚染物質を含む地下水（温水Ｈ）を浄化装置１１２で浄化して帯水層１２に注水する。熱交換器７０では、下側の帯水層１６から揚水された地下水（常温水Ｇ）を熱媒体との間で熱交換を行い地下水を冷水Ｃにすると共に熱媒体の温度を上昇させる。そして、空調装置６０は、熱交換器７０で熱交換されて温度が上昇した熱媒体を利用して暖房を行う。
【００７０】
より具体的には、井戸１２０の第一井戸鋼管２４０で上側の帯水層１２から揚水した汚染物質を含む地下水（温水Ｈ）が地下水ライン１５０を流れると共に、この地下水ライン１５０を流れる汚染物質を含む地下水（温水Ｈ）が浄化装置１１２で浄化される。そして、浄化された地下水（温水Ｈ）は、地下水ライン１５４を流れ井戸１２２の第一井戸鋼管２３０から帯水層１２に注水される。
【００７１】
なお、地盤上の地下水ライン１５０、１５４や浄化装置１１２には断熱材によって断熱されている。よって、上側の帯水層１２から揚水された温水Ｈは、殆ど温度低下することなく温水Ｈとして再び帯水層１２に注水される。
【００７２】
また、汚染物質を含む温水Ｈを浄化装置１１２で浄化するので、浄化効率が向上し浄化が促進する。
【００７３】
また、井戸１２０と井戸１２２によって下側の帯水層１６から揚水した地下水は熱交換器７０で熱媒体と熱交換され冷水Ｃとなり地下水ライン１３９から放流される。
【００７４】
熱交換器７０で地下水（常温水Ｇ）と熱交換された熱媒体は温度が上昇し、この温度が上昇した熱媒体を空調装置６０で暖房に利用すると共に、暖房に利用され温度が低下した熱媒体が熱交換器７０に送れられる。そして、温度が低下した熱媒体が前述したように地下水と熱交換されることで地下水が冷水Ｃとなり放流される。なお、放流される冷水Ｃを、別の熱交換器を介して別の空調装置で冷房に用いてもよい。
【００７５】
（第二変形例）
図５に示す第二変形例の浄化設備１０３では、浄化井戸装置１１３は、下側の帯水層１６から揚水した地下水（常温水Ｇ）を熱交換器７０に送らないで上側の帯水層１２に注水する。また、上側の帯水層１２から揚水した汚染物質を含む地下水（温水Ｈ）を浄化装置１１２で浄化すると共に熱交換器７０で熱媒体との間で熱交換を行い熱媒体の温度を上昇させる。そして、空調装置６０は、熱交換器７０で熱交換されて温度が上昇した熱媒体を利用して暖房を行う。
【００７６】
より具体的には、井戸１２２から第一井戸鋼管２３０で帯水層１２から汚染物質を含む地下水（温水Ｈ）を揚水する。温水Ｈは地下水ライン１３８を逆方向に流れ浄化装置１１２で浄化されるように構成されている。そして、浄化された温水Ｈは、熱交換器７０で熱媒体と熱交換され冷水Ｃとなり放流される。
【００７７】
このように、汚染物質を含む温水Ｈを浄化装置１１２で浄化するので、浄化効率が向上し浄化が促進する。
【００７８】
また、熱交換器７０で地下水（温水Ｈ）と熱交換された熱媒体は温度が上昇し、この温度が上昇した熱媒体を空調装置６０で暖房に利用すると共に、暖房に利用され温度が低下した熱媒体が熱交換器７０に送れられる。そして、温度が低下した熱媒体が前述したように地下水と熱交換されることで地下水が冷水Ｃとなり放流される。なお、この冷水Ｃを、別途空調装置（及び熱交換器）で冷房に用いてもよい。
【００７９】
また、井戸１２０と井戸１２２によって下側の帯水層１６から揚水した地下水（常温水Ｇ）は、地下水ライン１５６で合流し、井戸１２０の第一井戸鋼管２４０から上側の帯水層１２に注水される。
【００８０】
ここで、井戸１２２の第一井戸鋼管２３０で上側の帯水層１２から温水Ｈを揚水すると共に、井戸１２０、１２２の第二井戸鋼管２３２、２４２で下側の帯水層１６から常温水Ｇを揚水し井戸１２２から常温水Ｇを帯水層１２に注水することで、徐々に帯水層１２の地下水が温水Ｈから常温水Ｇに置き換わっていく、つまり図３（Ｅ）から図３（Ａ）になる。そして、最終的に図１及び図３（Ａ）に示すように帯水層１２の地下水が温水Ｈから常温水Ｇに置き換わるまで行うことができる。
【００８１】
＜第二実施形態＞
本発明の第二実施形態に係る汚染土壌の浄化設備について説明する。なお、第一実施形態と同一の部材には同一の符号を付し、重複する説明は省略する。
【００８２】
［土壌］
図６に示すように、本実施形態では、地盤１１における下側の帯水層１６にも汚染物質が含まれる汚染土壌２２が存在している。汚染物質は、トリクロロエチレンやベンゼンに代表される有機化合物、六価クロムやヒ素等の金属化合物、シアン等の無機化合物、ガソリンや軽油に代表される鉱油類等である。しかし、上側の帯水層１２の汚染土壌２０よりも下側の帯水層１６の汚染土壌２２の方が汚染濃度は低くなっている。
【００８３】
［浄化設備］
図６に示すように、浄化設備２００は、遮水壁２５０と浄化井戸装置２１０と熱交換器７０と空調装置６０と制御装置８０とを含んで構成されている。なお、熱交換器７０及び空調装置６０は、第一実施形態と同様の構成であるので、説明を省略する。
【００８４】
浄化設備２００の遮水壁２５０は、難透水層１４を貫通し、下端部２５０Ａが下側の帯水層１６に到達すると共に汚染土壌２２よりも下方に位置するように形成されている。よって、遮水壁２５０は、汚染土壌２０及び汚染土壌２２の周囲を囲むように形成され、汚染土壌２０及び汚染土壌２２は遮水壁２５０で囲まれ閉鎖されている。
【００８５】
また、浄化井戸装置２１０は、上側の帯水層１２から揚水された汚染物質を含む地下水と下側の帯水層１６から揚水された汚染物質を含む地下水との両方を浄化装置１１２で浄化するように構成されている。
【００８６】
具体的には、熱交換器７０の下流側の地下水ライン１３８を流れる温水Ｈが、浄化装置１１２で浄化されるように構成されている。すなわち、下側の帯水層１６から揚水した汚染物質を含む地下水（常温水Ｇ）を熱交換器７０で熱交換して温水Ｈとなり、この温水Ｈ（汚染物質を含む地下水）を浄化装置１１２で浄化してから井戸１２２の第一井戸鋼管２３０から上側の帯水層１２に注水されるように構成されている。
【００８７】
なお、上側の帯水層１２の汚染土壌２０よりも下側の帯水層１６汚染土壌２２の方が汚染濃度は低い。よって、帯水層１６から地下水を揚水するのみであっても（帯水層１６に注水しなくても）、汚染土壌２２を浄化することができる。
【００８８】
＜作用及び効果＞
第一実施形態とは、下側の帯水層１６にも汚染物質が含まれる汚染土壌２２が存在し、帯水層１６から揚水した汚染物質を含む地下水（常温水Ｇ）を浄化することが作用効果に加わること以外は同様であるので、詳しい説明を省略する。
【００８９】
＜変形例＞
つぎに、第二実施形態の変形例について説明する。
第二実施形態の変形例も第一実施形態の変形例と同様に一時的或いは冬季等の所定の期間に空調装置６０で暖房を行う場合について説明する。また、第一実施形態と同様に、また、図７（第一変形例）及び図８（第二変形例）に示す地下水ラインの構成は、図６の地下水ラインを繋ぎ換えたりバルブで変更したり、或いは、ポンプの動作を変更したりすることで実現することができる。
【００９０】
（第一変形例）
図７に示す第一変形例の浄化設備２０１では、浄化井戸装置２１１は、下側の帯水層１６から揚水した地下水（常温水Ｇ）を上側の帯水層１２に注水しないで、上側の帯水層１２から揚水した汚染物質を含む地下水（温水Ｈ）を浄化装置１１２で浄化して帯水層１２に注水する。熱交換器７０では、下側の帯水層１６から揚水された地下水（常温水Ｇ）を熱媒体との間で熱交換を行い地下水を冷水Ｃにすると共に熱媒体の温度を上昇させる。そして、空調装置６０は、熱交換器７０で熱交換されて温度が上昇した熱媒体を利用して暖房を行う。
【００９１】
また、浄化井戸装置２１１は、上側の帯水層１２から揚水された汚染物質を含む地下水と下側の帯水層１６から揚水された汚染物質を含む地下水との両方を浄化装置１１２で浄化するように構成されている。
【００９２】
より具体的には、井戸２２０の第一井戸鋼管２４０で上側の帯水層１２から揚水した汚染物質を含む地下水（温水Ｈ）が地下水ライン１５０を流れると共に、この地下水ライン１５０を流れる汚染物質を含む地下水（温水Ｈ）が浄化装置１１２で浄化される。そして、浄化された地下水（温水Ｈ）は、井戸１２２の第一井戸鋼管２３０から帯水層１２に注水される。
【００９３】
なお、汚染物質を含む温水Ｈを浄化装置１１２で浄化するので、浄化効率が向上し浄化が促進する。
【００９４】
また、井戸１２０と井戸１２２によって帯水層１６から揚水した地下水は熱交換器７０で熱媒体と熱交換されたのち冷水Ｃとなり地下水ライン１３９を流れ浄化装置１１２で浄化されたのち放流される。
【００９５】
熱交換器７０で地下水（常温水Ｇ）と熱交換された熱媒体は温度が上昇し、この温度が上昇した熱媒体を空調装置６０で暖房に利用すると共に、暖房に利用され温度が低下した熱媒体が熱交換器７０に送れられる。そして、温度が低下した熱媒体が前述したように地下水と熱交換されることで地下水が冷水Ｃとなり浄化装置１１２で浄化されて放流される。なお、放流される冷水Ｃを、別途空調装置（及び熱交換器）で冷房に用いてもよい。
【００９６】
（第二変形例）
図７に示す第二変形例の浄化設備２０３では、浄化井戸装置２１３は、下側の帯水層１６から揚水した地下水（常温水Ｇ）を熱交換器７０に送らないで上側の帯水層１２に注水する。また、上側の帯水層１２から揚水した汚染物質を含む地下水（温水Ｈ）を浄化装置１１２で浄化すると共に熱交換器７０で熱媒体との間で熱交換を行い地下水（温水Ｈ）を冷水Ｃにしまた熱媒体の温度を上昇させる。そして、空調装置６０は、熱交換器７０で熱交換されて温度が上昇した熱媒体を利用して暖房を行う。
【００９７】
また、浄化井戸装置２１１は、上側の帯水層１２から揚水された汚染物質を含む地下水と下側の帯水層１６から揚水された汚染物質を含む地下水との両方を浄化装置１１２で浄化するように構成されている。
【００９８】
より具体的には、井戸１２２から第一井戸鋼管２３０で上側の帯水層１２から汚染物質を含む地下水（温水Ｈ）を揚水する。そして、温水Ｈは地下水ライン１３８を逆方向に流れ浄化装置１１２で浄化されるように構成されている。浄化された温水Ｈは、熱交換器７０で熱媒体と熱交換され冷水Ｃとなり放流される。
【００９９】
このように、汚染物質を含む温水Ｈを浄化装置１１２で浄化するので、浄化効率が向上し浄化が促進する。
【０１００】
また、熱交換器７０で地下水（温水Ｈ）と熱交換された熱媒体は温度が上昇し、この温度が上昇した熱媒体を空調装置６０で暖房に利用すると共に、暖房に利用され温度が低下した熱媒体が熱交換器７０に送れられる。そして、温度が低下した熱媒体が前述したように地下水と熱交換されることで地下水が冷水Ｃとなり放流される。なお、この冷水Ｃを、別途空調装置（及び熱交換器）で冷房に用いてもよい。
【０１０１】
また、井戸１２０と井戸１２２によって下側の帯水層１６から揚水した地下水（常温水Ｇ）は、地下水ライン１５６で合流し、更に浄化装置１１２で浄化してのち、井戸１２０の第一井戸鋼管２４０からから上側の帯水層１２に注水される。
【０１０２】
ここで、井戸１２２の第一井戸鋼管２３０で上側の帯水層１２から温水Ｈを揚水すると共に、井戸１２０、１２２の第二井戸鋼管２３２、２４２で下側の帯水層１６から常温水Ｇを揚水し井戸１２２から常温水Ｇを上側の帯水層１２に注水することで、徐々に帯水層１２の地下水が温水Ｈから常温水Ｇに置き換わっていく、つまり図３（Ｅ）から図３（Ａ）になる。そして、最終的に図１及び図３（Ａ）に示すように帯水層１２の地下水が温水Ｈから常温水Ｇに置き換わるまで行うことができる。
【０１０３】
＜その他＞
尚、本発明は上記実施形態に限定されない。
【０１０４】
例えば、上記実施形態では、遮水壁５０、２５０は、汚染土壌２０、２２の周囲を囲むように形成されているが、これに限定されるものではない。遮水壁の一部が開口した構造であってもよい。更に、遮水壁がない浄化設備の構成であってもよい。
【０１０５】
また、例えば、上記実施形態では、地下水と熱交換した熱媒体は、図示していない構造物に設けられた空調装置６０で利用したが、これに限定されない。空調装置以外の装置や設備の冷却に利用してもよい。例えば、ボイラー等の冷却のために利用してもよい。また、例えば、揚水した地下水は熱交換器で熱交換する前に浄化装置で浄化してもよい。
【０１０６】
更に、本発明の要旨を逸脱しない範囲において種々なる態様で実施し得ることは言うまでもない
【０１０７】
尚、本発明は上記実施形態に限定されない。本発明の要旨を逸脱しない範囲において種々なる態様で実施し得ることは言うまでもない
【符号の説明】
【０１０８】
１４      難透水層
１２      帯水層（第一帯水層）
１６      帯水層（第二帯水層）
６０      空調装置（利用手段の一例）
７０      熱交換器
８０      制御装置
１００      浄化設備
１０１      浄化設備
１０３      浄化設備
１１０      浄化井戸装置
１１２      浄化装置
１１１      浄化井戸装置
１１３      浄化井戸装置
２００      浄化設備
２０１      浄化設備
２０３      浄化設備
２１０      浄化井戸装置
２１１      浄化井戸装置
２１３      浄化井戸装置
【図１】
2014205087.tif 000003
【図２】
2014205087.tif 000004
【図３】
2014205087.tif 000005
【図４】
2014205087.tif 000006
【図５】
2014205087.tif 000007
【図６】
2014205087.tif 000008
【図７】
2014205087.tif 000009
【図８】
2014205087.tif 000010